(57)【要約】【課題】子局が移動した場合でも、災害種別に応じて災害の影響を受けると予測される災害危険地域に注意喚起の出力を行うことが可能な子局、方法及びプログラムを提供すること。【解決手段】子局１２は、子局１２の現在位置を受信する受信部１２１ａと、災害時に災害の影響を受けると予測される災害危険地域を災害種別ごとに示したハザードマップを記憶する記憶部１２３と、子局１２の現在位置とハザードマップとに基づいて災害時に受けると予測される子局１２の災害種別を更新する制御部１２２と、親局１１から受信した所定の災害種別と子局１２の災害種別とが一致する場合、注意喚起の出力を行う出力部１２５と、を備える。【選択図】図１Ａ
2020154500.tif 000002
【特許請求の範囲】
【請求項１】
自局の現在位置を受信する受信部と、
災害時に災害の影響を受けると予測される災害危険地域を災害種別ごとに示したハザードマップを記憶する記憶部と、
前記自局の現在位置と前記ハザードマップとに基づいて前記災害時に受けると予測される前記自局の前記災害種別を更新する制御部と、
親局から受信した所定の前記災害種別と前記自局の前記災害種別とが一致する場合、注意喚起の出力を行う出力部と、
を備える子局。
【請求項２】
前記制御部は、前記自局の現在位置に対応する前記災害種別と、前記自局が予め記憶していた前記災害種別と、が一致するか否かに基づいて前記自局の前記災害種別を更新する、
請求項１に記載の子局。
【請求項３】
前記記憶部は、前記災害種別をグループ番号に紐付けた情報管理テーブルを記憶し、
前記制御部は、前記自局の現在位置に対応する前記災害種別に紐付けられたグループ番号と、前記自局が予め記憶していた前記災害種別に紐付けられたグループ番号と、が一致するか否かに基づいて前記自局の前記災害種別に紐付けられたグループ番号を更新する、
請求項１に記載の子局。
【請求項４】
複数の前記災害種別のうちから所定の災害を選択する災害選択スイッチをさらに備え、
前記受信部は、前記所定の災害に関する情報を前記親局から受信し、
前記出力部は、前記所定の災害に関する情報を出力する、
請求項１乃至３のいずれか１つに記載の子局。
【請求項５】
前記制御部は、イベントの有無、前記イベントの開催時間、前記イベントの開催場所、前記イベントの想定人数、前記イベントの開催季節、道路混雑情報、及び、群衆の動きの情報のうち少なくともいずれか含むイベント情報に基づいて、前記自局の前記災害種別を更新する、
請求項１乃至４のいずれか１つに記載の子局。
【請求項６】
前記制御部は、火災の発生位置、前記火災の規模、前記火災の延焼範囲、前記火災発生時の気温、前記火災発生時の湿度、前記火災発生時の風向き、前記火災発生時の風速、前記火災発生時の気象のうち少なくともいずれかを含む火災情報に基づいて、前記自局の前記災害種別を更新する、
請求項１乃至５のいずれか１つに記載の子局。
【請求項７】
前記制御部は、自局周辺の放射線量が閾値を越えたか否かに基づいて、前記自局の前記災害種別を更新する、
請求項１乃至６のいずれか１つに記載の子局。
【請求項８】
前記受信部は、所定のＳＳＩＤ（Service Set Identifier）を受信し、
制御部は、前記所定のＳＳＩＤと前記自局が予め記憶していたＳＳＩＤとに基づいて、前記自局の前記災害種別を更新する、
請求項１乃至７のいずれか１つに記載の子局。
【請求項９】
子局の現在位置を受信することと、
災害時に災害の影響を受けると予測される災害危険地域を災害種別ごとに示したハザードマップを記憶することと、
前記子局の現在位置と前記ハザードマップとに基づいて前記災害時に受けると予測される前記子局の前記災害種別を更新することと、
親局から受信した所定の前記災害種別と前記子局の前記災害種別とが一致する場合、注意喚起の出力を行うことと、
を備える方法。
【請求項１０】
子局の現在位置を受信することと、
災害時に災害の影響を受けると予測される災害危険地域を災害種別ごとに示したハザードマップを記憶することと、
前記子局の現在位置と前記ハザードマップとに基づいて前記災害時に受けると予測される前記子局の前記災害種別を更新することと、
親局から受信した所定の前記災害種別と前記子局の前記災害種別とが一致する場合、注意喚起の出力を行うことと、
をコンピュータに実行させるプログラム。
【発明の詳細な説明】
【技術分野】
【０００１】
本開示は、子局、方法及びプログラムに関するものであり、特に、子局が移動した場合でも、災害種別に応じて災害の影響を受けると予測される災害危険地域に注意喚起の出力（放送）を行うことが可能な子局、方法及びプログラムに関する。
【背景技術】
【０００２】
親局設備からの放送指示を複数の子局設備が受信し、複数の子局設備のそれぞれが該放送指示に基づいて、地域住民に対して拡声放送を行う同報無線システム（防災無線システム）が知られている。
【０００３】
非特許文献１及び非特許文献２には、同報無線システムにおいて、親局設備からの無線信号を複数の子局設備が受信し、複数の子局設備のそれぞれが、受信した無線信号を音声に変換した後に拡声放送を行うことが記載されている。このような同報無線システムでは、システム整備時に子局設備を設置する箇所の状況（地理的条件、周辺環境等）を考慮して、子局設備が必要な放送を受信するためのグループ番号を子局設備に設定する。拡声放送を行う際、親局設備の操作者は、放送対象となる子局設備の子局番号等の識別子や、放送対象となる複数の子局設備に設定されたグループ番号等の識別子を選択して放送指示を行う。子局設備は、親局設備からの放送指示を受信した場合、子局設備自身に登録されている子局番号やグループ番号と、放送指示で指定された子局番号やグループ番号と、が一致した場合に放送を行い、不一致の場合には放送を行わない。そして、子局設備は必要に応じて移設が可能である。子局設備の特に戸別受信機は、公共施設や家庭にも設置されて放送を受信することができ、避難時や引っ越しで持ち運ぶこともできる。また、子局設備が故障した場合、他の場所から機器を移設し、又は代替品と交換して運用を継続する。しかしながら、親局設備の操作者が、子局設備の移設状況をリアルタイムで把握し、移動、移設、交換した子局設備に登録されているグループ番号を、システム整備時に定めたルールに従って全て書き換えることは難しい。その結果、システムの運用後の時間の経過とともに、システム開始時に設置場所の地理的条件に基づいて子局設備に設定したグループ番号と、実際の設置場所に対応した設定すべきグループ番号と、が不一致となる。
【０００４】
特許文献１には、ユーザがシステム内の任意の局に対しＩＤを変更したい場合に、システム変更メッセージを操作卓から一括送信を行い、親局は中継局を介した同報通信にてシステム変更メッセージをＩＤ書換えメッセージとして子局および戸別受信機に対して通知し、ＩＤ書換えメッセージを受信した子局および戸別受信機は、メッセージを解析して、ＩＤ書換えメッセージの中に自局ＩＤの変更情報が含まれている場合には自局ＩＤの書換えを行うことが開示されている。特許文献１が開示する内容は、親局のユーザ（操作者）が子局の設置場所およびＩＤ（識別番号）を全て把握していることが前提となっている。よって、操作者が子局の設置場所およびＩＤの全てを把握していない場合、各子局のグループ番号を意図した通りに設定し変更することは難しい。
【先行技術文献】
【特許文献】
【０００５】
【特許文献１】特開２００３−２４９８９１号公報
【非特許文献１】市町村デジタル同報通信システム標準規格ＡＲＩＢ  ＳＴＤ−Ｔ８６  ３．０版、社団法人電波産業会、２００７年５月２９日改定
【非特許文献２】市町村デジタル同報通信システムＴＹＰＥ２標準規格ＡＲＩＢ  ＳＴＤ−Ｔ１１５  ２．０版、社団法人電波産業会、２０１６年７月６日改定
【発明の概要】
【発明が解決しようとする課題】
【０００６】
上述のように、運用後の時間の経過とともに、開始時に設置場所の地理的条件に基づいて子局設備に設定したグループ番号と、実際の設置場所に対応した設定すべきグループ番号と、が不一致となることがあった。その結果、親局設備は、適切な子局設備に拡声放送の指示を行うことが困難となり、全地域の子局設備に対して放送指示を行うという課題があった。また、避難時に住民等が戸別受信機を持ち運んだ場合、戸別受信機に登録されているグループ番号は持ち運ぶ前の設置場所の地理的条件に基づいて設定されているため、戸別受信機が持ち運んだ後の避難場所が含まれる地域向けの放送を受信することができないという課題があった。また、子局が、戸別受信機を持ち運んだ後の避難場所が含まれる地域とは無関係の放送、すなわち、戸別受信機を持ち運ぶ前の設置箇所の地理的条件に基づいて設定されているグループ番号に対応する放送を受信してしまうという課題があった。また、親局設備の操作者が、グループ番号を用いた子局設備への拡声放送の指示を行わなくなり、全地域を対象とした一括放送の指示を子局にするという課題があった。
【０００７】
本開示の目的は、上述した課題のいずれかを解決する子局、方法及びプログラムを提供することにある。
【課題を解決するための手段】
【０００８】
本開示に係る子局は、
子局の現在位置を受信する受信部と、
災害時に災害の影響を受けると予測される災害危険地域を災害種別ごとに示したハザードマップを記憶する記憶部と、
前記子局の現在位置と前記ハザードマップとに基づいて前記災害時に受けると予測される前記子局の前記災害種別を更新する制御部と、
親局から受信した所定の前記災害種別と前記子局の前記災害種別とが一致する場合、注意喚起の出力を行う出力部と、
を備える。
【０００９】
本開示に係る方法は、
子局の現在位置を受信することと、
災害時に災害の影響を受けると予測される災害危険地域を災害種別ごとに示したハザードマップを記憶することと、
前記子局の現在位置と前記ハザードマップとに基づいて前記災害時に受けると予測される前記子局の前記災害種別を更新することと、
親局から受信した所定の前記災害種別と前記子局の前記災害種別とが一致する場合、注意喚起の出力を行うことと、
を備える。
【００１０】
本開示に係るプログラムは、
子局の現在位置を受信することと、
災害時に災害の影響を受けると予測される災害危険地域を災害種別ごとに示したハザードマップを記憶することと、
前記子局の現在位置と前記ハザードマップとに基づいて前記災害時に受けると予測される前記子局の前記災害種別を更新することと、
親局から受信した所定の前記災害種別と前記子局の前記災害種別とが一致する場合、注意喚起の出力を行うことと、
をコンピュータに実行させる。
【発明の効果】
【００１１】
本開示によれば、子局が移動した場合でも、災害種別に応じて災害の影響を受けると予測される災害危険地域に注意喚起の出力を行うことが可能な子局、方法及びプログラムを提供することができる。
【図面の簡単な説明】
【００１２】
【図１Ａ】実施の形態１に係る子局を例示するブロック図である。
【図１Ｂ】実施の形態１に係る子局を例示するブロック図である。
【図２】実施の形態１に係る情報管理テーブルを例示する図である。
【図３】実施の形態１に係る子局の動作を例示するフローチャートである。
【図４】実施の形態１に係るハザードマップを例示する図である。
【図５】実施の形態２に係る災害選択スイッチを例示する図である。
【図６】実施の形態３に係る子局の動作を例示するフローチャートである。
【図７】実施の形態４に係る子局の動作を例示するフローチャートである。
【図８】実施の形態７に係る子局と親局を例示するブロック図である。
【図９】実施の形態７に係るハザードマップを例示する図である。
【発明を実施するための形態】
【００１３】
以下、図面を参照して本発明の実施の形態について説明する。各図面において、同一又は対応する要素には同一の符号が付されており、説明の明確化のため、必要に応じて重複説明を省略する。
【００１４】
［実施の形態１］
実施の形態１に係る子局の構成を説明する。
図１Ａは、実施の形態１に係る子局を例示するブロック図である。
図１Ｂは、実施の形態１に係る子局を例示するブロック図である。
【００１５】
図１Ａに示すように、実施の形態１に係る子局１２は、インタフェース部１２１と、制御部１２２と、記憶部１２３と、アンテナ１２４と、出力部１２５と、を備える。インタフェース部１２１は、受信部１２１ａ、を有する。記憶部１２３は、情報管理テーブル１２３ａとグループ番号記憶部１２３ｂとを有する。尚、子局を子局設備と称し、出力部をスピーカまたは拡声部と称することもある。出力部は、音声だけでなく、表示部（不図示）に画面を出力できる。
【００１６】
インタフェース部１２１は、接続部（図示せず）と、ネットワーク接続部（図示せず）と、ＧＰＳ接続部（図示せず）と、を有する。接続部は、携帯電話やスマートフォン等の情報端末と有線または無線で接続する。ネットワーク接続部は、インターネットやイントラネット等と接続する。ＧＰＳ接続部は、ＧＰＳ（Global Positioning System）と接続する。
【００１７】
インタフェース部１２１の受信部１２１ａは、子局１２の現在位置を、ＧＰＳ（Global Positioning System）を使用して受信する。
【００１８】
記憶部１２３は、災害時に災害の影響を受けると予測される災害危険地域を災害種別ごとに示したハザードマップを記憶する。災害種別は、例えば、河川氾濫、洪水、土砂災害、火災、群衆注意等が有る。ハザードマップの詳細は後述する。記憶部１２３は、災害種別をグループ番号に紐付けた情報管理テーブル１２３ａを記憶する。情報管理テーブルを、グループ番号割り当て情報管理テーブルと称することもある。
【００１９】
尚、子局１２は、インタフェース部１２１を介してネットワーク上のストレージ等を記憶部１２３の代わりに使用する場合、図１Ｂに示すように、記憶部１２３を子局１２内に備えなくてもよい。図１Ｂに示す子局１２の構成は、最小の構成である。
【００２０】
ここで、災害種別とグループ番号との関係を示す情報管理テーブルについて説明する。
図２は、実施の形態１に係る情報管理テーブルを例示する図である。
【００２１】
図２に示すように、実施の形態１に係る情報管理テーブル１２３ａは、災害種別（種別）ごとにグループ番号を紐付ける。すなわち、災害種別は、グループ番号に紐付けられる。
【００２２】
具体的には、災害種別「河川の氾濫」は、グループ番号２０００に紐付けられ、災害種別「洪水」は、グループ番号２１００に紐付けられる。災害種別「土砂災害」は、グループ番号２２００に紐付けられ、災害種別「火災」は、グループ番号３０００に紐付けられる。災害種別「放射線量警戒」は、グループ番号３１００に紐付けられ、災害種別「群衆注意」は、グループ番号３２００に紐付けられる。種別「避難所  公共施設Ａ」は、グループ番号５０００に紐付けられ、種別「役職  消防団」は、グループ番号７０００に紐付けられる。
【００２３】
制御部１２２は、子局１２の現在位置とハザードマップとに基づいて災害時に受けると予測される子局１２の災害種別を更新する。子局１２の災害種別は記憶部１２３に記憶される。災害種別は、情報管理テーブル１２３ａのようにしてグループ番号に紐付けられるので、子局１２は、災害種別に紐付けられたグループ番号をグループ番号記憶部１２３ｂに記憶する。
【００２４】
制御部１２２は、子局１２の現在位置に対応する災害種別と、子局１２が予め記憶していた災害種別と、が一致するか否かに基づいて子局１２の災害種別を更新する。具体的には、制御部１２２は、子局１２の現在位置に対応する災害種別と、子局１２が予め記憶していた災害種別と、が一致しない場合、子局１２の現在位置に対応する災害種別を、子局１２の災害種別として更新する。また、制御部１２２は、子局１２の現在位置に対応する災害種別と、子局１２が予め記憶していた災害種別と、が一致する場合、子局１２の災害種別を更新しない。
【００２５】
尚、災害種別が、図２に示す情報管理テーブル１２３ａのようにグループ番号に紐付けられた場合には、制御部１２２は、以下のように動作する。
【００２６】
制御部１２２は、子局１２の現在位置に対応する災害種別に紐付けられたグループ番号と、子局１２が予めグループ番号記憶部１２３ｂに記憶していた災害種別に紐付けられたグループ番号と、が一致するか否かを確認する。そして、制御部１２２は、確認した結果に基づいて、子局１２の災害種別に紐付けられたグループ番号、すなわち、グループ番号記憶部１２３ｂに記憶していたグループ番号を更新する。
【００２７】
親局１１の親局送信部（図示せず）は、複数の災害種別のうち所定の災害種別を子局１２に送信する。子局１２の受信部１２１ａは、親局１１から複数の災害種別のうち所定の災害種別の放送をアンテナ１２４を介して受信する。尚、親局を親局設備と称することもある。
【００２８】
出力部１２５は、親局１１から受信した所定の災害種別と子局１２の災害種別とが一致する場合、注意喚起の出力を行う。すなわち、出力部１２５は、親局１１から受信した放送を出力（拡声）する。
【００２９】
実施の形態１に係る子局１２は、子局１２の現在位置に対応する災害種別と、子局１２が予め記憶していた災害種別と、が一致しない場合、子局１２の現在位置に対応する災害種別を、子局１２の災害種別として更新する。子局１２は、親局１１から受信した所定の災害種別と子局１２の災害種別とが一致する場合、注意喚起の出力を行う。
【００３０】
これにより、子局１２が移動した場合でも、災害種別に応じて災害の影響を受けると予測される災害危険地域に注意喚起の出力を行うことができる。
【００３１】
実施の形態１に係る子局の動作の概要を説明する。
図３は、実施の形態１に係る子局の動作を例示するフローチャートである。
【００３２】
子局１２は、入力デバイス接続部（図示せず）を有する。入力デバイス接続部は、ボタンやスイッチやダイヤルやタッチパネルやキーボードやマウス等を有する。子局１２の操作者は、受信が必要な放送を特定するための情報を、これらのボタン等を使用して設定する。
【００３３】
子局１２は、受信が必要な放送を特定するための情報を更新する（ステップＳ１０１）。受信が必要な放送を特定するための情報とは、例えば、子局１２の設置場所（現在位置）を特定する情報や、聴取したい放送に対応する災害種別の情報、設置場所以外のうち放送を聴取したい地域を指定する情報等である。
【００３４】
子局１２の設置場所を特定するための情報は、例えば、ＧＰＳを使用して受信した位置情報が有る。子局１２の設置場所を特定するための情報は、その他にも、各公共施設で使用されているＩＥＥＥ８０２．１１規格のアクセスポイントのＳＳＩＤ（Service Set Identifier）等の識別子の情報が有る。
【００３５】
実施の形態１では、受信が必要な放送を特定するための情報が、子局１２の現在位置である場合を例に挙げて説明する。この場合、子局１２は、子局１２の現在位置に対応する災害種別に紐付けられたグループ番号と、子局１２が予め記憶していた災害種別に紐付けられたグループ番号と、が一致するか否かを確認する。子局１２は、確認した結果、一致しない場合、子局１２の現在位置に対応する災害種別に紐付けられたグループ番号を、子局１２の災害種別に紐付けられたグループ番号として更新し、グループ番号記憶部１２３ｂに記憶する。
【００３６】
子局１２は、ステップＳ１０１の後、システム内のグループ番号割り当て情報（情報管理テーブル１２３ａ）の更新が有るか無いかを確認する（ステップＳ１０２）。
【００３７】
子局１２は、システム内のグループ番号割り当て情報の更新が有る場合（ステップＳ１０２：Ｙｅｓ）、システム内のグループ番号割り当て情報を更新する（ステップＳ１０３）。
【００３８】
子局１２は、システム内のグループ番号割り当て情報の更新が無い場合（ステップＳ１０２：Ｎｏ）、受信が必要な放送を特定するための情報を、システム内のグループ番号割り当て情報と比較する（ステップＳ１０４）。
【００３９】
子局１２は、ステップＳ１０４において比較した結果、子局１２に設定されたグループ番号の更新の必要が有ると判断した場合（ステップＳ１０６：Ｙｅｓ）、子局１２に設定されたグループ番号を動的に更新する（ステップＳ１０７）。
【００４０】
子局１２は、ステップＳ１０４において比較した結果、子局１２に設定されたグループ番号の更新の必要が無いと判断した場合（ステップＳ１０６：Ｎｏ）、ステップＳ１０１に戻る。
【００４１】
尚、システム内のグループ番号割り当て情報とは、災害種別とグループ番号とを紐付けて管理する情報管理テーブル１２３ａ、又は、グループ番号と紐づいたハザードマップの情報等である。
【００４２】
実施の形態１では、システム内のグループ番号割り当て情報を示す情報管理テーブル１２３ａが子局１２の記憶部１２３に記憶されることを例に挙げて説明したが、これには限定されない。情報管理テーブル１２３ａは、例えば、親局１１が一元管理し、子局１２の記憶部１２３に記憶されているグループ番号を更新する際に、親局１１から子局１２へ送信しても良い。
【００４３】
子局１２に設定されるグループ番号を動的に更新後（ステップＳ１０７の後）、親局１１は、グループ番号を指定して子局１２に対して拡声放送を行う。これにより、子局１２では子局１２の使用者が聴取すべき放送や、聴取したい放送を確実に受信することができる。
【００４４】
実施の形態１に係る子局の動作の詳細を説明する。
図４は、実施の形態１に係るハザードマップを例示する図である。
【００４５】
子局１２は、記憶部１２３に子局１２のグループ番号と、システム内のグループ番号割り当て情報と、を記憶する。システム内のグループ番号割り当て情報は、図２に示す情報管理テーブル１２３ａとして記憶される。子局１２のグループ番号は、グループ番号記憶部１２３ｂに記憶される。受信が必要な放送を特定するための情報は、インタフェース部１２１に接続されたＧＰＳから受信した子局１２の現在位置の情報からなる。
【００４６】
先ず、図４に示すように、子局１２が河川沿いの家庭に設置されている場合を説明する。この場合、子局１２のインタフェース部１２１に接続されたＧＰＳの位置情報と、記憶部１２３に記憶されたグループ番号と紐づいたハザードマップと、に基づいて、河川沿いの地域を対象とした災害種別「河川の氾濫」と災害種別「洪水」と災害種別「津波」に関する放送を受信するためのグループ番号が、子局１２に記憶（登録）される。例えば、ハザードマップは、図４に示すように地域によってグループ番号が割り振られている。そして、子局１２のグループ番号記憶部１２３ｂは、子局１２の現在位置がハザードマップで割り振られているグループ番号を記憶する。
【００４７】
ここで、子局１２の位置情報に割り振られている災害種別およびグループ番号は、ハザードマップ（図４参照）より、災害種別「河川の氾濫」に対応するグループ番号２０００、災害種別「洪水」に対応するグループ番号２１００、および災害種別「津波」に対応するグループ番号２３００である。このため、子局１２の記憶部１２３のグループ番号記憶部１２３ｂには、少なくともグループ番号２０００とグループ番号２１００とグループ番号２３００が記憶される。
【００４８】
尚、図２に示す情報管理テーブル１２３ａに記憶されたグループ番号３０００、グループ番号３１００、及びグループ番号３２００は、必ずしも地理的条件によらない災害注意に関するグループ番号である。また、グループ番号５０００、グループ番号５１００、グループ番号５２００、及びグループ番号５３００は、避難所に関するグループ番号である。また、グループ番号７０００、グループ番号７１００、及びグループ番号７２００は、役職に関するグループ番号である。子局１２の記憶部１２３の情報管理テーブル１２３ａには、これらのうち１つ以上が記憶されても良いし、記憶されなくても良い。
【００４９】
子局１２は、ハザードマップ上のグループ番号２０００、グループ番号２１００、グループ番号２２００、グループ番号２３００、及びグループ番号２４００について、子局設備１２の記憶部１２３に記憶するか否かを動的に判断する。
【００５０】
次に、大雨等により河川の氾濫が想定され、図４の矢印で示すように、子局１２の操作者が子局１２を持って山間部へ避難した場合を説明する。この場合、子局１２の制御部１２２は、インタフェース部１２１に接続されたＧＰＳの位置情報と、記憶部１２３に記憶されたグループ番号と紐づいたハザードマップとに基づいて、記憶部１２３に予め記憶されたグループ番号を更新する。
【００５１】
具体的には、制御部１２２は、ハザードマップを参照し、子局１２の位置情報に基づいて、子局１２に予め記憶されていた河川沿いの地域を対象とした、災害種別「河川の氾濫」、災害種別「洪水」、及び災害種別「津波」に関する放送を受信するためのグループ番号２０００、グループ番号２１００、及びグループ番号２３００を記憶部１２３から削除する。また、制御部１２２は、ハザードマップを参照し、子局１２の位置情報に基づいて、山間部の地域を対象とした災害種別「土砂災害」に関する放送を受信するためのグループ番号２２００を記憶部１２３に新たに追加して記憶する。
【００５２】
これにより、操作者が子局１２を持って山間部へ避難した後、子局１２は避難先で不要となる災害種別「河川の氾濫」、災害種別「洪水」、及び災害種別「津波」に関する放送を行わず、避難先で必要となる災害種別「土砂災害」に関する放送を行う。これにより、地域住民は、避難先で必要となる災害種別「土砂災害」に関する放送を視聴できる。
【００５３】
その結果、子局１２が移動した場合でも、災害種別に応じて災害の影響を受けると予測される災害危険地域に注意喚起の出力を行うことができる。
【００５４】
また、実施の形態１に係る子局１２は、子局１２の現在位置（設置場所）とハザードマップとに基づいて災害時に受けると予測される子局の災害種別を自動で更新する。これにより、親局１１や子局１２の操作者は、放送対象となる子局１２のグループ番号を意識することなく、子局１２の設置場所が対象とする放送を子局１２から行うことができる。
【００５５】
その結果、システム整備時に設置場所の地理的条件に基づいて設定したグループ番号と、実際の子局１２の設置場所に対応するグループ番号と、が不一致となることを防止することができる。
【００５６】
このため、システム運用ルールの破綻によりグループ番号での放送運用を廃止するということ、及び、子局１２を移動後に移動先の地域向けのグループ番号で放送指示が行われた放送を受信できないということを解消することができる。また、移動前の地域向けのグループ番号で放送指示が行われた放送を受信するということも解消することができる。
【００５７】
さらに、子局１２が適切な範囲に拡声放送を行うので、地域住民が拡声放送の内容を信頼しなくなる、すなわち、放送内容を軽視するということを防止することができる。これにより、子局１２が災害に関する避難指示等の拡声放送を行った場合、地域住民は拡声放送の内容を信用して自発的に避難を行うことができる。
【００５８】
［実施の形態２］
実施の形態２に係る子局１２は、受信が必要な放送を特定するための情報として、ＧＰＳの情報、すなわち、子局１２の現在位置の情報に加えて他の情報も使用する。
図５は、実施の形態２に係る災害選択スイッチを例示する図である。
【００５９】
実施の形態２に係る子局１２のインタフェース部１２１は、図５に示すような災害選択スイッチ１２６を有する。災害選択スイッチ１２６は、複数の災害種別のうちから放送を必ず聴取する災害（所定の災害）を選択するためのスイッチである。子局１２は、受信が必要な放送を特定するための情報として、ＧＰＳを使用した現在位置の情報と共に、災害選択スイッチ１２６を使用して選択された災害の情報を使用する。
【００６０】
子局１２の制御部１２２は、災害選択スイッチ１２６の設定部１２６ｓが「受信」に設定された場合、「受信」に設定された災害に対応するグループ番号を情報管理テーブル１２３ａから読み出し、読み出したグループ番号をグループ番号記憶部１２３ｂに記憶する。
【００６１】
これにより、「受信」に設定された災害に対応するグループ番号、すなわち、放送を必ず聴取する災害（所定の災害）がグループ番号記憶部１２３ｂに記憶される。子局１２の受信部１２１ａは、放送を必ず聴取する災害（所定の災害）がグループ番号記憶部１２３ｂに記憶されているので、所定の災害に関する情報を親局１１から受信する。出力部１２５は、所定の災害に関する情報を放送する。
【００６２】
子局１２の制御部１２２は、設定部１２６ｓが「制御無し」に設定された場合、災害選択スイッチ１２６で設定された情報以外の情報に基づいて、どの災害の放送を受信するかを判断する。制御部１２２は、判断した結果の災害に対応するグループ番号を情報管理テーブル１２３ａから読み出し、グループ番号記憶部１２３ｂに記憶する。
【００６３】
子局１２の制御部１２２は、設定部１２６ｓが「拒否」に設定された災害種別について、その災害種別に関する放送を受信しないと判断して、グループ番号記憶部１２３ｂから、その災害種別に対応するグループ番号を削除する。
【００６４】
ここで、実施の形態２の動作を、具体例を挙げて説明する。先ず、子局１２を操作する操作者が、山間部に住んでおり、操作者の親戚が、海岸沿いに住んでいたとする場合を説明する。操作者は、親戚の状況が知りたいので、親戚が住んでいる海外沿いの放送、例えば、災害種別「津波」に関する放送を視聴したい場合がある。この場合、操作者は、災害選択スイッチ１２６の災害種別「津波」の設定部１２６ｓを「受信」に設定する。設定部１２６ｓを「受信」に設定することにより、操作者は、災害種別「津波」を対象としたグループ番号の放送を聴取できる。
【００６５】
また、操作者が災害種別「土砂災害」の設定部１２６ｓを「制御無し」に設定した場合は、子局１２は以下のように動作する。
【００６６】
子局１２は、ＧＰＳが測定した子局１２の現在位置の情報と、記憶部１２３に記憶されたグループ番号と紐づいたハザードマップと、に基づいて、災害種別「土砂災害」を対象としたグループ番号の放送を聴取するか否かを判断する。子局１２は、山間部に設置されているため、現在位置の情報と、記憶部１２３に記憶されたグループ番号と紐づいたハザードマップと、に基づいて、山間部の地域を対象とした災害種別「土砂災害」に関する放送を受信するためのグループ番号２２００を記憶する。
【００６７】
これにより、災害種別「土砂災害」に関する放送と災害種別「津波」に関する放送とを聴取するため、子局１２の記憶部１２３のグループ番号記憶部１２３ｂには、少なくともグループ番号２２００とグループ番号２３００とが記憶される。
【００６８】
次に、子局１２の操作者が都市部に引っ越しをした場合を説明する。この場合、子局１２の制御部１２２は、ＧＰＳが測定した子局１２の現在位置の情報と、記憶部１２３に記憶されたグループ番号と紐づいたハザードマップと、に基づいて、記憶部１２３に記憶されたグループ番号を更新する。
【００６９】
具体的には、制御部１２２は、ＧＰＳが測定した子局１２の現在位置の情報が都市部なので、都市部の地域を対象とした災害種別「光化学スモッグ」であると判断する。制御部１２２は、記憶部１２３のグループ番号記憶部１２３ｂから、災害種別「土砂災害」に関する放送を受信するためのグループ番号２２００を削除し、災害種別「光化学スモッグ」に関する放送を受信するためのグループ番号２４００を新たに追加して記憶する。
【００７０】
尚、子局１２が災害選択スイッチ１２６の設定を変更していない場合、災害種別「津波」を対象とした放送を受信するためのグループ番号２３００は、記憶部１２３に記憶されたままであり、放送受信可能な状態を継続する。
【００７１】
実施の形態２に係る子局１２は、子局１２の設置場所を（現在位置）に紐づいた災害情報を聴取することに加えて、災害選択スイッチ１２６を使用して聴取したい放送（災害情報）及び不要な災害情報を選択することができる。
【００７２】
これにより、親局１１から子局１２を介して地域住民（聞き手）に一方的に行われていた災害情報の放送を、子局１２の操作者が取捨選択した災害情報を放送するように改善した。
【００７３】
［実施の形態３］
実施の形態３に係る子局１２は、設置場所の地理的条件に加えて、時間、季節、周辺のイベント開催の有無、イベントの開催時間、群衆検知情報等、人々の動きに関係する情報に基づいて災害種別で放送対象となる子局１２のグループ番号を決定する。
【００７４】
例えば、イベント開催が無い夜の場合、群衆の混雑に関わる注意喚起を行う放送の種別「群衆注意」を放送すべき子局１２は、都市部の中でも繁華街にあるものだけで良い。
【００７５】
一方、夏の昼間に海岸沿いでイベント等が開催され、日本全国から人が集まるような場合、種別「群衆注意」を放送すべき子局１２は、海岸沿い、都市部の全域、及び都市部から海岸沿いの大通り等も含めた広域に設置された子局１２となる。
【００７６】
この場合、子局１２において受信が必要な放送を特定するための情報は、記憶部１２３に記憶された子局１２の現在位置の情報、グループ番号と紐づいたハザードマップ、ならびに時間、季節、周辺のイベントの有無の情報、群衆検知等の情報となる。
【００７７】
制御部１２２は、これら情報を解析して記憶部１２３に記憶されている情報管理テーブル１２３ａと照らし合わせる。制御部１２２は、照らし合わせた結果、記憶部１２３に種別「群衆注意」の放送を受信するためのグループ番号３２００を記憶するか、又は、削除するかを判断する。
【００７８】
ここで、制御部１２２の動作をさらに詳細に説明する。
図６は、実施の形態３に係る子局の動作を例示するフローチャートである。
【００７９】
図６に示すように、制御部１２２は、インタフェース部１２１から運用地域およびその周辺地域でのイベントの有無と、イベントの開催時間（日程）、イベントの開催場所、イベントの想定人数、道路混雑情報、群衆の動きの情報等を、例えば、以下に示す情報元から収集する（ステップＳ２０１）。
【００８０】
情報元は、インターネット上の自治体のホームページ（ＨＰ：Home Page）、ソーシャルネットワーキングサービス（ＳＮＳ： Social Networking Service）、地図情報サイト、日本道路交通情報センターのサイト等である。
【００８１】
制御部１２２は、これらの情報元から情報を収集するとともに、必要に応じて自営の群衆検知システムから群衆の動きの情報を収集してもよい。
【００８２】
制御部１２２は、収集したこれらの情報を、リアルタイムクロック等の集積回路で保持している時刻情報、またはインターネット上の公開ＮＴＰ（Network Time Protocol）サービスから取得した時刻情報と紐づけて記憶部１２３に記憶する（ステップＳ２０１）。
【００８３】
制御部１２２は、記憶部１２３に記憶した運用地域およびその周辺地域でのイベントの有無と、イベントの開催時間、イベントの開催場所、イベントの想定人数、道路混雑情報、及び群衆の動きの情報等に基づいて以下を算出する（ステップＳ２０２）。
【００８４】
制御部１２２は、人が集中する地域と災害種別毎の避難計画を算出する（ステップＳ２０２）。災害種別毎の避難計画とは、災害種別毎の災害発生時の避難経路および避難先として必要な空間の広さのことである。
【００８５】
制御部１２２は、人が集中する地域および災害種別毎の避難計画と、グループ番号と紐づいたハザードマップで災害が想定される地域および災害発生時に避難経路となる地域と、を比較する（ステップＳ２０３）。制御部１２２は、比較した結果に基づいて、災害種別毎のハザードマップの情報を作成して記憶部１２３に記憶する（ステップＳ２０３）。
【００８６】
制御部１２２は、ＧＰＳの位置情報（子局１２の現在位置の情報）を更新するか否かを確認する（ステップＳ２０４）。制御部１２２は、ＧＰＳの位置情報を更新した場合（ステップＳ２０４：Ｙｅｓ）、ＧＰＳの位置情報を記憶部１２３に記憶する（ステップＳ２０５）。
【００８７】
制御部１２２は、ステップＳ２０４の処理において、既に記憶部１２３に記憶されている位置情報と、ＧＰＳから受信した子局１２の現在位置の情報と、が同じである場合、現在位置の情報を記憶部１２３に記憶する処理を省略する（ステップＳ２０４：Ｎｏ）。
【００８８】
制御部１２２は、情報管理テーブル１２３ａに記憶されている災害種別毎に、災害種別毎のハザードマップの情報と、ＧＰＳの位置情報と、を比較する。制御部１２２は、比較した結果に基づいて、グループ番号記憶部１２３ｂに記憶している子局１２が放送対象となるべきグループ番号を更新する（ステップＳ２０６）。
【００８９】
制御部１２２は、ステップＳ２０１からステップＳ２０６までの処理を任意の間隔で周期的に実施しても良い。
【００９０】
このように、制御部１２２は、イベントの有無、イベントの開催時間、イベントの開催場所、イベントの想定人数、イベントの開催季節、道路混雑情報、及び群衆の動きの情報のうち少なくともいずれか含むイベント情報に基づいて、子局１２の災害種別を更新する。
【００９１】
実施の形態３に係る子局１２は、地理的条件に限らない災害関連の情報を、時と場合に応じて適切な範囲に放送することができる。
【００９２】
また、子局１２は、災害に関する放送時以外、例えば、平常時に地域限定の広報や行政案内を放送することができる。例えば、子局１２が、避難訓練を行う地区に限定した行政案内を放送する場合、制御部１２２は、避難訓練の対象地域を示す情報と、子局１２の現在位置の情報（ＧＰＳの位置情報）と、を解析する。
【００９３】
制御部１２２は、記憶部１２３の情報管理テーブル１２３ａから、避難訓練の情報に紐付けられたグループ番号を選択し、選択したグループ番号を避難訓練の周知対象となる子局１２のみに設定する。これにより、平常時においても円滑で、ミスのないシステム運用を行うことができる。
【００９４】
［実施の形態４］
実施の形態４に係る子局１２は、リアルタイムに状況が変化する火災等を災害種別として、子局１２が受信する放送のグループ番号を決定する。
【００９５】
火災は、風向き、周囲の状況、気候等により、煙の向きや延焼範囲の状況がリアルタイムに変化する。また、火災は、複数の場所で同時に発生する場合もある。
【００９６】
この場合、子局１２の制御部１２２は、インタフェース部１２１のネットワーク接続部からインターネット上の火災情報を収集するとともに、インタフェース部１２１に接続されたＧＰＳから子局１２の現在位置の情報を受信して解析を行う。
【００９７】
子局１２の制御部１２２は、解析の結果を記憶部１２３の情報管理テーブル１２３ａと照らし合わせる。子局１２の制御部１２２は、照らし合わせた結果、記憶部１２３に火災の放送を受信するためのグループ番号３０００を記憶するか、又は、記憶部１２３から火災の放送を受信するためのグループ番号３０００を削除するか判断する。
【００９８】
ここで、災害種別が「火災」の場合における制御部１２２の処理をさらに詳細に説明する。
図７は、実施の形態４に係る子局の動作を例示するフローチャートである。
【００９９】
図７に示すように、制御部１２２は、インタフェース部１２１から運用地域およびその周辺地域での火災の発生位置、火災の規模、延焼範囲、気温、湿度、風向き、風速、天候等、以下に示す情報元から収集し記憶部１２３に記憶する（ステップＳ３０１）。
【０１００】
情報元は、インターネット上の自治体のホームページ、ソーシャルネットワーキングサービス、消防局のホームページ、気象庁のホームページや情報配信メール等である。
【０１０１】
制御部１２２は、記憶部１２３に記憶した運用地域およびその周辺地域での火災の発生位置、火災の規模、延焼範囲、気温、湿度、風向き、風速、天候（気象）等に基づいて以下を算出し、記憶部１２３に記憶する（ステップＳ３０２）。
【０１０２】
制御部１２２は、延焼範囲となる可能性のある地域や、煙の影響を受ける地域の範囲を算出する。
【０１０３】
制御部１２２は、インタフェース部１２１に接続されたＧＰＳから子局１２の現在位置の情報を受信し、子局１２の現在位置の情報を更新するか否かを確認する（ステップＳ３０３）。制御部１２２は、子局１２の現在位置の情報を更新した場合（ステップＳ３０３：Ｙｅｓ）、ＧＰＳから受信した位置情報を記憶部１２３に記憶する（ステップＳ３０４）。
【０１０４】
制御部１２２は、ステップＳ３０３の処理において、既に記憶部１２３に記憶されている位置情報と、ＧＰＳから受信した子局１２の現在位置の情報と、が同じである場合、現在位置の情報を記憶部１２３に記憶する処理を省略する（ステップＳ３０３：Ｎｏ）。
【０１０５】
制御部１２２は、情報管理テーブル１２３ａに記憶されている災害種別「火災」について、記憶部１２３に記憶した延焼範囲となる可能性のある地域や、煙の影響を受ける地域の範囲と、子局１２の現在位置の情報（ＧＰＳの位置情報）を比較する。制御部１２２は、比較した結果に基づいて、グループ番号記憶部１２３ｂに記憶している子局１２が放送対象となるべきグループ番号を更新する（ステップＳ３０５）。
【０１０６】
制御部１２２は、ステップＳ３０１からステップＳ３０５までの処理を任意の間隔で周期的に実施しても良い。
【０１０７】
このように、制御部１２２は、火災の発生位置、火災の規模、火災の延焼範囲、火災発生時の気温、火災発生時の湿度、火災発生時の風向き、火災発生時の風速、火災発生時の気象のうち少なくともいずれかを含む火災情報に基づいて、子局１２の災害種別を更新する。
【０１０８】
これにより、実施の形態４に係る子局１２は、リアルタイムに状況が変化する火災についても、適切な範囲に放送を行うことができる。
【０１０９】
［実施の形態５］
実施の形態５に係る子局１２は、インタフェース部１２１にセンサを接続することで、子局１２の周辺環境に対応して受信する放送のグループ番号を決定する。
【０１１０】
具体的には、子局１２は、インタフェース部１２１に放射線量を測定するセンサ（図示せず）を接続する。センサは、子局１２の周辺の放射線量を測定する。
【０１１１】
子局１２の制御部１２２は、放射線量が閾値を越えた場合、記憶部１２３の情報管理テーブル１２３ａと照らし合わせる。制御部１２２は、照らし合わせた結果、記憶部１２３に放射線量警戒の放送を受信するためのグループ番号３１００を記憶するか、又は、記憶部１２３から放射線量警戒の放送を受信するためのグループ番号３１００を削除するか判断する。
【０１１２】
このように、制御部１２２は、子局１２の周辺の放射線量が閾値を越えたか否かに基づいて、子局１２の災害種別を更新する。
【０１１３】
これにより、実施の形態５では、子局１２の周辺環境に応じて、必要な子局１２からのみ放送を行うことができる。その結果、適切な範囲への情報提供、住民のパニック防止、及び拡声放送を軽視する習慣の防止を行うことができる。
【０１１４】
尚、制御部１２２は、照らし合わせの処理と判断の処理とを任意の間隔で周期的に実施しても良い。
【０１１５】
［実施の形態６］
実施の形態６に係る子局１２は、ＳＳＩＤ（Service Set Identifier）を使用して子局１２が受信する放送のグループ番号を決定する。
【０１１６】
子局１２のインタフェース部１２１は、ＳＳＩＤを検出するための検出部（図示せず）を有する。検出部は、子局１２の周辺の公共施設のアクセスポイント等から送信されるＳＳＩＤを検出する。検出部は、１つまたは複数存在してもよい。親局１１は、１台以上の子局１２と接続してもよい。
【０１１７】
子局１２は、検出部の代わりに受信部１２１ａを使用してＳＳＩＤを検出してもよい。すなわち、子局１２の受信部１２１ａは、所定のＳＳＩＤ、例えば、避難所  公共施設ＡのアクセスポイントのＳＳＩＤを受信してもよい。
【０１１８】
記憶部１２３には、受信が必要な放送を特定するための情報として、避難所となる公共施設のアクセスポイントのＳＳＩＤが記憶されている。
【０１１９】
制御部１２２は、検出部又は受信部１２１ａが受信した所定のＳＳＩＤと、記憶部１２３が予め記憶していたＳＳＩＤとに基づいて、子局１２の災害種別に紐付けられたグループ番号を更新する。
【０１２０】
具体的には、子局１２の制御部１２２は、記憶部１２３に予め既に記憶されている公共施設ＡのＳＳＩＤと、検出部が検出したＳＳＩＤと、が一致するか否かを確認する。制御部１２２は、一致した場合、記憶部１２３の情報管理テーブル１２３ａと照らし合わせて、記憶部１２３に避難所  公共施設Ａに関する放送を受信するためのグループ番号５０００を記憶する。このとき、記憶部１２３は、避難所  公共施設Ａをハザードマップに追加して記憶してもよい。
【０１２１】
また、制御部１２２は、検出部が公共施設ＡのＳＳＩＤを検出しない場合、記憶部１２３のグループ番号記憶部１２３ｂから避難所  公共施設Ａに関する放送を受信するためのグループ番号５０００を削除する。
【０１２２】
実施の形態６に係る子局１２は、ＧＰＳ等が不要となるため、子局１２のコストを削減することができ、子局１２を更に普及させることができる。また、実施の形態６によれば、避難所周辺に設置されている子局１２のみから放送がされるので、放送内容を避難所周辺の人々に確実に視聴させることができる。また、実施の形態６によれば、避難所周辺にいない人への放送を防ぐことができるため、災害時には水や食料の配給などを適切に行うことが可能となる。
【０１２３】
［実施の形態７］
実施の形態７に係るシステムにおいては、親局１１がシステム内のグループ番号割り当て情報を更新して子局１２に送信する。実施の形態７に係るシステムは、実施の形態１に係るシステムと比べて、親局１１がグループ番号割り当て情報（情報管理テーブル）を有する点が異なる。
【０１２４】
図８は、実施の形態７に係るシステムを例示するブロック図である。
図９は、実施の形態７に係るハザードマップを例示する図である。
【０１２５】
図８に示すように、親局１１は、親局インタフェース部１１１と、親局制御部１１２と、と、アンテナ１１４と、を備える。親局インタフェース部１１１は、親局受信部１１１ａと、親局送信部１１１ｂと、を有する。
【０１２６】
親局インタフェース部１１１は、１つまたは複数の入力デバイス接続部（図示せず）と、接続部（図示せず）と、ネットワーク接続部（図示せず）等を有し、子局１２に放送指示を送信するアンテナ１１４に接続する。
【０１２７】
入力デバイス接続部は、親局１１の操作者がシステム内のグループ番号割り当て情報の作成、編集、送信指示を行うためのボタンやスイッチやダイヤルやタッチパネル、キーボードやマウス等を有する。接続部は、携帯電話やスマートフォン等の情報端末用と有線または無線で接続する。ネットワーク接続部は、インターネットやイントラネット等と接続する。
【０１２８】
実施の形態７では、親局１１が、親局インタフェース部１１１から、例えば、時間、季節、周辺のイベントの有無、イベントの開催時間、群衆検知情報等、人々の動きに関係する情報を収集する。そして、親局１１がシステム内のグループ番号割り当て情報（図４に示すグループ番号と紐づいたハザードマップ）を更新する。
【０１２９】
例えば、高さ５メートルの津波が想定された場合について説明する。災害種別「津波」がイベントの無い冬の夜に発生した場合、海岸に大勢の人がいる可能性は低く、避難経路が混雑する可能性も低い。このため、災害種別「津波」を対象とした放送を受信するためのグループ番号２３００を割り当てる地域は、図４に示すようなグループ番号と紐づいたハザードマップの情報で良い。
【０１３０】
一方、災害種別「津波」が夏の昼間で、かつ、海岸でイベントが開かれているときに発生した場合、海岸には大勢の人がいる可能性が高く、避難経路の混雑も想定される。この場合、放送対象として海岸線沿いおよび避難経路となる道路沿い、避難先となる内陸部にも放送を行う必要がある。よって、災害種別「津波」を対象とした放送を受信するためのグループ番号２３００を割り当てる地域は、図９に示すようなグループ番号と紐づいたハザードマップの情報になる。
【０１３１】
このように、親局１１の親局制御部１１２は、時間、季節、周辺のイベントの有無、イベントの開催時間、群衆検知情報等、人々の動きに関係する情報に基づいて、グループ番号と紐づいたハザードマップの情報を作成し更新する。災害種別は、図２に示すグループ番号と紐付けられる。すなわち、親局１１の親局制御部１１２は、災害時に災害の影響を受けると予測される災害危険地域を災害種別ごとに示したハザードマップ（グループ番号と紐づいたハザードマップ）を作成し、イベントの有無等に基づいてハザードマップを更新する。
【０１３２】
グループ番号と紐づいたハザードマップの更新は、グループ番号と地域の紐づけの変更だけでなく、放送対象となる種別の追加、削除、ハザードマップ自体の更新も、必要に応じて行って良い。
【０１３３】
親局１１の親局送信部１１１ｂは、更新後のグループ番号と紐づいたハザードマップの情報を、親局インタフェース部１１１の親局送信部１１１ｂからアンテナ１１４を介してシステム内の全ての子局１２に向けて一括して送信する。親局１１の親局送信部１１１ｂは、グループ番号と紐づいたハザードマップの情報を、親局インタフェース部１１１からネットワークや専用通信網を介してシステム内の全ての子局１２に向けて一括して送信してもよい。
【０１３４】
子局１２の受信部１２１ａは、図４又は図９に示すグループ番号と紐づいたハザードマップの情報を受信する。
【０１３５】
子局１２の制御部１２２は、記憶部１２３に記憶しているグループ番号と紐づいたハザードマップの情報を更新する。
【０１３６】
子局１２の制御部１２２は、子局１２の現在位置と、グループ番号と紐づいたハザードマップと、に基づいて災害時に受けると予測される子局１２の災害種別を更新する。
【０１３７】
具体的には、子局１２の制御部１２２は、ハザードマップにおいて、子局１２の現在位置の情報（ＧＰＳから受信した位置情報）に対応するグループ番号と、グループ番号記憶部１２３ｂに予め記憶していたグループ番号と、を比較する。子局１２の制御部１２２は、比較した結果、グループ番号が一致しない場合、子局１２の現在位置に対応する災害種別に紐付けられたグループ番号をグループ番号記憶部１２３ｂに記憶し更新する。
【０１３８】
親局送信部１１１ｂは、複数の災害種別のうち所定の災害種別が選択された場合、所定の災害種別に紐付けられたグループ番号を子局１２に送信する。子局１２は、親局１１から受信した所定の災害種別に紐付けられたグループ番号と、子局１２の災害種別と紐付けられグループ番号記憶部１２３ｂに記憶されたグループ番号と、が一致する場合、出力部１２５から注意喚起の出力を行う。
【０１３９】
実施の形態７では、親局１１から子局１２に送信される情報には、子局１２の数や子局１２を識別するための子局番号に相当する情報は含まれない。
【０１４０】
これにより、子局１２の移動、子局１２の交換、子局１２の追加、グループ番号の変更、及び子局番号の変更等の影響を受けることなく、システム構成の情報を秘匿しながら、全ての子局１２のグループ番号をリアルタイムに更新することができる。
【０１４１】
その結果、実施の形態７によれば、災害発生時間や災害種別等に応じて適切な範囲に放送を行うことができる。
【０１４２】
尚、親局１１は、任意のタイミングで、システム内のグループ番号割り当て情報を更新してもよい。また、親局１１は、任意の頻度で、システム内のグループ番号割り当て情報を子局１２に送信してもよい。
【０１４３】
また、親局１１は、前回送信済みのシステム内のグループ番号割り当て情報の内容との差分を子局１２に送信してもよい。また、親局１１は、システム内のグループ番号割り当て情報の全体を子局１２に送信してもよい。
【０１４４】
また、上記の実施の形態では、本発明をハードウェアの構成として説明したが、本発明はこれに限定されるものではない。本発明は、各構成要素の処理を、ＣＰＵ（Central Processing Unit）にコンピュータプログラムを実行させることにより実現することも可能である。
【０１４５】
上記の実施の形態において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実態のある記憶媒体(tangible storage medium)を含む。非一時的なコンピュータ可読媒体の例は、磁気記憶媒体（具体的にはフレキシブルディスク、磁気テープ、ハードディスクドライブ）、光磁気記憶媒体（具体的には光磁気ディスク）、ＣＤ−ＲＯＭ（Read Only Memory）、ＣＤ−Ｒ、ＣＤ−Ｒ／Ｗ、半導体メモリ（具体的には、マスクＲＯＭ、ＰＲＯＭ（Programmable ROM）、ＥＰＲＯＭ(Erasable PROM)）、フラッシュＲＯＭ、ＲＡＭ(Random Access Memory)を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１４６】
以上、実施の形態を参照して本願発明を説明したが、本願発明は上記によって限定されるものではない。本願発明の構成や詳細には、発明のスコープ内で当業者が理解し得る様々な変更をすることができる。
【０１４７】
なお、本発明は上記実施の形態に限られたものではなく、趣旨を逸脱しない範囲で適宜変更することが可能である。
【０１４８】
上記の実施形態の一部又は全部は、以下の付記のようにも記載されうるが、以下には限られない。
（付記１）
自局の現在位置を受信する受信部と、
災害時に災害の影響を受けると予測される災害危険地域を災害種別ごとに示したハザードマップを記憶する記憶部と、
前記自局の現在位置と前記ハザードマップとに基づいて前記災害時に受けると予測される前記自局の前記災害種別を更新する制御部と、
親局から受信した所定の前記災害種別と前記自局の前記災害種別とが一致する場合、注意喚起の出力を行う出力部と、
を備える子局。
（付記２）
前記制御部は、前記自局の現在位置に対応する前記災害種別と、前記自局が予め記憶していた前記災害種別と、が一致するか否かに基づいて前記自局の前記災害種別を更新する、
付記１に記載の子局。
（付記３）
前記記憶部は、前記災害種別をグループ番号に紐付けた情報管理テーブルを記憶し、
前記制御部は、前記自局の現在位置に対応する前記災害種別に紐付けられたグループ番号と、前記自局が予め記憶していた前記災害種別に紐付けられたグループ番号と、が一致するか否かに基づいて前記自局の前記災害種別に紐付けられたグループ番号を更新する、
付記１に記載の子局。
（付記４）
前記自局の現在位置は、ＧＰＳ（Global Positioning System）を使用して受信される、
付記１乃至３のいずれか１つに記載の子局。
（付記５）
前記記憶部は、前記自局の前記災害種別を記憶する、
付記１乃至４のいずれか１つに記載の子局。
（付記６）
複数の前記災害種別のうちから所定の災害を選択する災害選択スイッチをさらに備え、
前記受信部は、前記所定の災害に関する情報を前記親局から受信し、
前記出力部は、前記所定の災害に関する情報を放送する、
付記１乃至５のいずれか１つに記載の子局。
（付記７）
前記制御部は、イベントの有無、前記イベントの開催時間、前記イベントの開催場所、前記イベントの想定人数、前記イベントの開催季節、道路混雑情報、及び、群衆の動きの情報のうち少なくともいずれか含むイベント情報に基づいて、前記自局の前記災害種別を更新する、
付記１乃至６のいずれか１つに記載の子局。
（付記８）
前記制御部は、火災の発生位置、前記火災の規模、前記火災の延焼範囲、前記火災発生時の気温、前記火災発生時の湿度、前記火災発生時の風向き、前記火災発生時の風速、前記火災発生時の気象のうち少なくともいずれかを含む火災情報に基づいて、前記自局の前記災害種別を更新する、
付記１乃至７のいずれか１つに記載の子局。
（付記９）
前記制御部は、自局周辺の放射線量が閾値を越えたか否かに基づいて、前記自局の前記災害種別を更新する、
付記１乃至８のいずれか１つに記載の子局。
（付記１０）
前記受信部は、所定のＳＳＩＤ（Service Set Identifier）を受信し、
制御部は、前記所定のＳＳＩＤと前記自局が予め記憶していたＳＳＩＤとに基づいて、前記自局の前記災害種別を更新する、
付記１乃至９のいずれか１つに記載の子局。
（付記１１）
親局と子局とを備え、
前記親局は、
所定の災害種別を前記子局に送信する親局送信部を有し、
前記子局は、
前記子局の現在位置を受信する受信部と、
災害時に災害の影響を受けると予測される災害危険地域を災害種別ごとに示したハザードマップを記憶する記憶部と、
前記子局の現在位置と前記ハザードマップとに基づいて前記災害時に受けると予測される前記子局の前記災害種別を更新する制御部と、
親局から受信した前記所定の前記災害種別と前記子局の前記災害種別とが一致する場合、注意喚起の出力を行う出力部と、を有する、
システム。
（付記１２）
親局と子局とを備え、
前記親局は、
災害時に災害の影響を受けると予測される災害危険地域を災害種別ごとに示したハザードマップを作成する親局制御部と、
前記ハザードマップを前記子局に送信する親局送信部と、を有し、
前記親局送信部は、複数の前記災害種別のうち所定の災害種別が選択された場合、前記所定の災害種別を前記子局に送信し、
前記子局は、
前記親局から前記ハザードマップを受信する受信部と、
前記子局の現在位置と前記ハザードマップとに基づいて前記災害時に受けると予測される前記子局の前記災害種別を更新する制御部と、
前記親局から受信した前記所定の災害種別と前記子局の前記災害種別とが一致する場合、注意喚起の出力を行う出力部と、を有する、
システム。
（付記１３）
子局の現在位置を受信することと、
災害時に災害の影響を受けると予測される災害危険地域を災害種別ごとに示したハザードマップを記憶することと、
前記子局の現在位置と前記ハザードマップとに基づいて前記災害時に受けると予測される前記子局の前記災害種別を更新することと、
親局から受信した所定の前記災害種別と前記子局の前記災害種別とが一致する場合、注意喚起の出力を行うことと、
を備える方法。
（付記１４）
子局の現在位置を受信することと、
災害時に災害の影響を受けると予測される災害危険地域を災害種別ごとに示したハザードマップを記憶することと、
前記子局の現在位置と前記ハザードマップとに基づいて前記災害時に受けると予測される前記子局の前記災害種別を更新することと、
親局から受信した所定の前記災害種別と前記子局の前記災害種別とが一致する場合、注意喚起の出力を行うことと、
をコンピュータに実行させるプログラム。
【符号の説明】
【０１４９】
１１…親局
１１１…親局インタフェース部
１１１ａ…親局受信部
１１１ｂ…親局送信部
１１２…親局制御部
１１４…アンテナ
１２…子局
１２１…インタフェース部
１２１ａ…受信部
１２２…制御部
１２３…記憶部
１２３ａ…情報管理テーブル
１２３ｂ…グループ番号記憶部
１２４…アンテナ
１２５…出力部
１２６…災害選択スイッチ
１２６ｓ…設定部
【図１Ａ】
2020154500.tif 000003
【図１Ｂ】
2020154500.tif 000004
【図２】
2020154500.tif 000005
【図３】
2020154500.tif 000006
【図４】
2020154500.tif 000007
【図５】
2020154500.tif 000008
【図６】
2020154500.tif 000009
【図７】
2020154500.tif 000010
【図８】
2020154500.tif 000011
【図９】
2020154500.tif 000012